(57)【要約】  複数ページの楽譜を収集、整理、および取り付けするためのホルダーが提示される。ホルダーは、横方向のミシン目線によって所定の数のセクションに分割された頑丈で重い重量の紙素材で作られた細長いシートを含む。結合部材は、結合部材を使用して複数ページの楽譜を細長いシートの上に取り付けることができるように、セクションの少なくとも１つに配置される。ホルダーは譜面台として機能する。【選択図】図１
2021518286.tif 000002
【特許請求の範囲】
【請求項１】
前面、背面、およびその両側に平行な長手方向の縁を有し、その長手方向に延在する細長いシートと、
前記長手方向の縁から延在し、それと実質的に垂直であり、前記長手方向の縁の長さに沿って間隔を空けて配置され、前記細長いシートを複数のセクションに分割する複数の横方向のミシン目線であって、前記細長いシートが、複数の横方向のミシン目線に沿ってアコーディオン折りされた、複数の横方向のミシン目線と、
前記複数のセクションのそれぞれの前記前面に配置されたそれぞれの結合部材であって、楽譜のそれぞれのページを前記複数のセクションのそれぞれの１つに取り付けるように適合されるそれぞれの結合部材と、
を備える、楽譜ホルダー。
【請求項２】
前記複数のセクションにそれぞれ取り付けられた前記複数ページの楽譜を含む、請求項１に記載のホルダー。
【請求項３】
前記結合部材が接着剤である、請求項１に記載のホルダー。
【請求項４】
前記結合部材がテープである、請求項１に記載のホルダー。
【請求項５】
前記複数ページの楽譜が取り付けられるまで前記結合部材を保護するための取り外し可能な手段を含む、請求項１に記載のホルダー。
【請求項６】
前記結合部材を保護するための前記取り外し可能な手段がワックスペーパーである、請求項５に記載のホルダー。
【請求項７】
前記ホルダーが少なくとも５つのセクションを含む、請求項１に記載のホルダー。
【請求項８】
前記細長いシートが、重くて頑丈な紙で作られ、前記ホルダーが前記譜面台として機能することを可能にする、請求項１に記載のホルダー。
【請求項９】
前面、背面、およびその両側に平行な長手方向の縁を有し、その長手方向に延在する細長いシートと、
前記長手方向の縁から延在し、それと実質的に垂直であり、前記長手方向の縁の長さに沿って間隔を空けて配置され、前記細長いシートを複数のセクションに分割する複数の横方向のセミミシン目線であって、前記細長いシートが、前記複数の横方向のミシン目線に沿ってアコーディオン折りされ、
前記セミミシン目線のそれぞれが、１つまたは複数の非ミシン目セグメントと直線状に交互になっている１つまたは複数のミシン目線セグメントを含む、複数の横方向のセミミシン目線と、
前記複数のセクションのそれぞれの前記前面に配置されたそれぞれの結合部材であって、楽譜のそれぞれのページを前記複数のセクションのそれぞれの１つに取り付けるように適合されるそれぞれの結合部材と、を備える、楽譜ホルダー。
【請求項１０】
前記セミミシン目線のそれぞれが、１つまたは複数の非ミシン目セグメントと直線状に交互になっている複数のミシン目線セグメントを含む、請求項９に記載のホルダー。
【請求項１１】
前記セミミシン目線のそれぞれが、複数の非ミシン目セグメントと直線状に交互になっている１つまたは複数のミシン目線セグメントを含む、請求項９に記載のホルダー。
【請求項１２】
前記セミミシン目線のそれぞれが、複数の非ミシン目セグメントと直線状に交互になっている複数のミシン目線セグメントを含む、請求項９に記載のホルダー。
【請求項１３】
前記複数のセクションにそれぞれ取り付けられた前記複数ページの楽譜を含む、請求項９に記載のホルダー。
【請求項１４】
前記結合部材が接着剤である、請求項９に記載のホルダー。
【請求項１５】
前記結合部材がテープである、請求項９に記載のホルダー。
【請求項１６】
前記複数ページの楽譜が取り付けられるまで前記結合部材を保護するための取り外し可能な手段を含む、請求項９に記載のホルダー。
【請求項１７】
前記結合部材を保護するための前記取り外し可能な手段がワックスペーパーを含む、請求項１６に記載のホルダー。
【請求項１８】
前記ホルダーが、少なくとも５つのセクションを含む、請求項９に記載のホルダー。
【請求項１９】
前記細長いシートが、重くて頑丈な紙で作られ、前記ホルダーが前記譜面台として機能することを可能にする、請求項９に記載のホルダー。
【請求項２０】
楽譜ホルダーであって、
楽譜のそれぞれのページが複数のシートのそれぞれの１つに取り付けられるように、その縁の１つで螺旋状に束ねられる複数のシートと、前記複数のシートの前面と背面の両方に配置されたそれぞれの結合部材とを備え、
前記複数のシートが重くて頑丈な紙で作られており、前記ホルダーが前記譜面台として機能することを可能にする、楽譜ホルダー。
【発明の詳細な説明】
【技術分野】
【０００１】
本発明は、楽譜用ホルダーに関し、特に、複数ページの楽譜を整理するためのホルダーに関する。
【背景技術】
【０００２】
「楽譜」は、「ミュージックスコア」とも呼ばれ、手書きまたは印刷された演奏記号である。それは、主に、演奏家が読むことができる楽曲の視覚的表現を提供するために使用される。通常、楽譜の媒体は紙であり、楽曲は紙に印刷または手書きされる。楽曲のサイズに応じて、楽曲は、１ページの楽譜から複数ページの楽譜に及ぶ場合がある。さらに、ユーザーは、複数ページの楽譜に含まれる複数の楽曲を有し得る。複数ページの楽譜を収集、組み立て、整理することは、ユーザーにとって難しい作業である。さらに、ページは見逃され、乱され、汚され、摩耗し、および破れやすくなる。したがって、複数ページの楽譜を収集、組み立て、整理、および保護するための装置が必要とされる。
【０００３】
したがって、複数ページの楽譜を整理するためのホルダーを提供することは有利であろう。
【０００４】
したがって、複数ページの楽譜を収集するためのホルダーを提供することは有利であろう。
【０００５】
したがって、複数ページの楽譜を組み立てるためのホルダーを提供することは有利であろう。
【０００６】
ページが汚れたり、破れたり、摩耗したりするのを防止するホルダーを提供することも有利であろう。
【０００７】
ページが乱されるのを防ぐホルダーを提供することもまた有利であろう。
【０００８】
頑丈な譜面台として機能するホルダーを提供することも有利である。
【０００９】
軽量で、製造が経済的で、保管および輸送が容易なホルダーを提供することも有利であろう。
【００１０】
特定の枚数の楽譜シートを保持するための正確なサイズのホルダーを提供することも有利である。
【００１１】
ホルダーのセクションの間に、ミシン目線を強化するために交互のミシン目部分と非ミシン目部分を含むミシン目線を設けることも有利であろう。
【発明の概要】
【課題を解決するための手段】
【００１２】
したがって、可能な一実施形態では、ミシン目線の１つに沿って引き裂いて、アコーディオン折りされたシートホルダーを形成することで、ある長さの任意適切な枚数のシートを簡単に取り除くことができるように、頑丈な厚紙で作られた細長いシートを、ミシン目の横線に沿ってアコーディオン式に折り重ねてスタックにすることができる。ミシン目の横線によってシートがセクションに分割され、複数ページの楽譜のページが各セクションに取り付けられて、単一の合綴本と、楽譜用の頑丈な譜面台が形成される。
【００１３】
別の実施形態では、頑丈な重い厚紙の多数の両面の個々のシートが、スパイラルリングまたは他のタイプのバインダーのリーフとして配置される。複数ページの楽譜を、シートホルダーのリーフのそれぞれのページに取り付けて、単一の合綴本および楽譜用の頑丈な譜面台を形成することができる。
【００１４】
本明細書で説明する１つまたは複数の実施形態の特徴および利点のこの要約は、特許請求される発明を定義するものとみなされるべきではなく、その同等性を決定する上で否定的であるともみなされるべきではない。本発明のさらなる特徴および利点は、以下の説明および図面から明らかになるであろう。本発明のこれらおよび他の特徴、態様、および利点は、以下の図面および説明を参照してよりよく理解されるであろう。
【図面の簡単な説明】
【００１５】
本明細書に組み込まれる添付の図面は、明細書の一部を形成し、本発明の実施形態を例示する。説明とともに、図は、本発明の原理を説明し、関連技術の当業者が本発明を作成および使用できるようにするのにさらに役立つ。
【００１６】
【図１】図１は、本発明の例示的な実施形態を、楽譜用の５つのセクションのアコーディオン折りされたホルダーとして示している。
【００１７】
【図２】図２は、本発明の可能な実施形態による、アコーディオン折りされた連続した細長いシートのスタックを示す。
【００１８】
【図３】図３は、５ページの楽譜が取り付けられた、図１の頑丈な５セクションのアコーディオン折りされたホルダーを示している。
【００１９】
【図４】図４は、図１の頑丈な５セクションのアコーディオン折りされたホルダーの背面図である。
【００２０】
【図５】図５は、本発明の別の実施形態を６枚のアコーディオン折りされた楽譜ホルダーとして示す。
【００２１】
【図６】図６は、本発明の可能な非アコーディオンの実施形態を示し、頑丈な重い厚紙の多数の両面の個々のシートが、スパイラルリングバインダーに配置される。
【００２２】
【図７】図７は、図６の非アコーディオン実施形態の内部を示す。
【００２３】
【図８】図８は、ヒンジ（非ミシン目の領域）が折り目に組み込まれ、製品に、拡張された逆折りたたみに耐えるのに十分な強度を与える、ハイブリッドミシン目を使用する実施形態を示す。
【発明を実施するための形態】
【００２４】
本発明は、楽譜用のホルダーに関し、特に、複数ページの楽譜を整理するためのシートホルダーに関する。
【００２５】
次に、本明細書の一部を形成し、例として特定の例示的な実施形態を示す添付の図面を参照して、主題を以下でより完全に説明する。ただし、主題はさまざまな形で具体化され、したがって、対象となるまたは請求される主題は、本明細書に記載される例示的な実施形態のいずれにも限定されないものとして解釈されることが意図される。例示的な実施形態は、単に例示を目的として提供される。同様に、主張またはカバーされる主題の合理的に広い範囲が意図されている。特に、例えば、主題は、方法、装置、コンポーネント、またはシステムとして具現化され得る。したがって、以下の詳細な説明は、限定的な意味で解釈されることを意図していない。
【００２６】
特許請求される発明は楽譜とともに使用されることが想定されるが、特許請求の範囲は、本発明が使用される目的によって限定されるべきではない。したがって、特許請求の範囲における「楽譜」という用語は、文字通りの楽譜ページだけでなく、特許請求されたホルダーに収集、組み立て、整理、および／または取り付けられることができる、他のタイプのページ、論文、写真、展示なども含むものとして理解されるべきである。
【００２７】
「例示的」という単語は、本明細書では、「例、事例、または例証としての役割を果たす」ことを意味するために使用される。本明細書で「例示的」として説明される任意の実施形態は、他の実施形態よりも好ましいまたは有利であると必ずしも解釈されるべきではない。同様に、「本発明の実施形態」という用語は、本発明の全ての実施形態が、論じられた特徴、利点または動作モードを含むことを必要としない。
【００２８】
本明細書で使用される用語は、特定の実施形態を説明することのみを目的とし、本発明の実施形態を限定することを意図するものではない。本明細書（特許請求の範囲を除く）で使用されるように、単数形「ａ」、「ａｎ」、および「ｔｈｅ」は、文脈がそうでないことを明確に示さない限り、複数形も含むことができる。本明細書で使用される場合、「含む（ｃｏｍｐｒｉｓｅ）」、「含む（ｃｏｍｐｒｉｓｅｓ）」、「含む（ｃｏｍｐｒｉｓｉｎｇ）」、「含む（ｉｎｃｌｕｄｅ）」、「含む（ｉｎｃｌｕｄｅｓ）」、および／または「含む（ｉｎｃｌｕｄｉｎｇ）」という用語は、述べられた特徴、整数、ステップ、動作、要素、および／またはコンポーネントの存在を特定するが、１つまたは複数の他の特徴、整数、ステップ、動作、要素、コンポーネント、および／またはそれらのグループの存在または追加を除外しないことがさらに理解されるであろう。
【００２９】
以下の詳細な説明は、本発明の例示的な実施形態を実行する現在考えられる最良のモードを含む。本説明は、限定的な意味で解釈されるべきではなく、単に本発明の一般的な原理を説明する目的で行われる。なぜなら、発明の範囲は、結果として生じる特許の許可されたクレームによって最もよく定義されるからである。
【００３０】
図１は、本発明によるホルダーの例示的な実施形態を示す。図１に示すホルダーは、丈夫で重い厚紙で作られた細長いシート１を含む。細長いシート１は、その長手方向に走るその両側に平行な長手方向の縁を有する。複数の横方向のミシン目線２が、細長いシート１の長さに沿って間隔を置いて配置され、細長いシート１を複数のセクションに分割する。横方向のミシン目線２は、対向する長手方向の縁から延在し、それらに実質的に垂直である。図１では、長手方向の縁に沿って等距離で間隔を置いた４つの横方向のミシン目線２が、細長いシート１を５つのセクションに分割する。さらに、図１に示されるように、細長いシート１は、横方向のミシン目線２に沿って折り畳まれてもよい。細長いシート１は、アコーディオン折りされたシートと同様に、ジグザグに内側および外側に折り畳まれてスタックを形成する。図１は、細長いシート１の前面を示している。細長いシート１の前面には、結合部材３が配置される。
【００３１】
図２は、横方向のミシン目線に沿って折り畳まれた連続した細長いシートアコーディオンのスタック４を示す。連続した細長いシートは、任意の適切な長さであり得、ユーザーは、スタック４からスタック４内のシートの数の限界まで、任意の所望の長さの細長いシート１を引き出し得る。例えば、ユーザーは、図１に示すように、５つのセクションを有する細長いシート１を引き出すことができる。ユーザーは、適切な横方向のミシン目線２を単に引き裂いて、細長いシート１をスタックから分離することができる。したがって、横方向のミシン目線２に沿って注意深く引き裂くことにより、任意の長さの細長いシート１をスタックから分離することができる。細長いシート１は、頑丈で重い厚紙から作られてもよく、例えば、重い／厚みのあるマニラまたはカバー厚紙が、通常の方法で製造され、穿孔され得る。適切な長さの厚紙を使用することができる。
図３は、細長いシート１の前面に取り付けられた複数ページの楽譜を示す。細長いシート１の高さおよび横方向のミシン目線２間の距離は、楽譜または他の所望の媒体、例えば印刷された媒体のページを取り付けることができるように、適切な寸法であり得る。複数ページの楽譜は、メディアのそれぞれのシートの背後にあるそれぞれの結合部材３（図３では見えない）を使用して取り付けられる。結合部材３は、接着剤、テープ、機械的カプラーなど、またはそれらの任意の組み合わせであってよく、紙をシート上に取り外し可能にまたは取り外し不可能に取り付けることができる。さらに、結合部材は、楽譜のページを取り付ける前に取り外すことができるワックスペーパーなどを使用して保護され得る。図１に示されるように、取り付けテープは、例えば、アコーディオン折り畳みシートホルダーの各セクションの、上部および底部のさまざまな領域に貼り付けられてもよい。
【００３２】
図４は、図１のホルダーの裏側を示している。この実施形態では、細長いシート１の裏側は、ラベル付けおよび／または他の情報のための領域、ブランド名やその他のデザイン、またはその他の望ましい種類の印刷のための領域を含むように印刷されてもよいし、または印刷されないままになっていてもよい。
【００３３】
図５は、６つのセクションを備えたアコーディオン折り畳みシートホルダーである本発明の別の実施形態を示している。ホルダーは、５つの横方向のミシン目線２を有し、細長いシート１は、ジグザグに折り畳まれることができ、ホルダーが譜面台としても機能できるようにする。代替実施形態では、本発明によるホルダーは、テキスト、写真などの他のタイプの媒体を取り付けるために使用することもできる。
【００３４】
図６は、重い厚紙の複数の個々のシート８がスパイラルバインダー６内に配置され得る代替の実施形態を示す。個々のシート８は、スパイラルカップリング７を使用して結合されている。これらの実施形態では、スパイラルバインダー６の表紙および裏表紙は、ブランド名または他のデザイン、または所望の他のタイプの印刷を含む表紙用の領域を含むことができる。
【００３５】
図７に示されるように、スパイラルバインダー６内の個々のシート８の各側は、例えば各シート８の上部および底部などのさまざまな領域に取り付けられた取り付けテープ（例えば）取り付けカプラー３を有してもよく、およびラベル付けおよび／または他の情報のための領域、ブランド名または他のデザイン、指示、および／または望ましい他のタイプの印刷のための領域を含んでもよい。さらに、楽譜、テキスト、図面、写真、または他の任意のタイプの適切な媒体の別個のページを、スパイラルバインダー６内に収集することができる。
【００３６】
図８に示されるように、ヒンジ１０（非ミシン目の領域）を含むハイブリッドミシン目またはセミミシン目線９は、折り目に組み込まれて、製品が拡張された逆折りに耐えるのに十分な強度を与えることができる。
【産業上の利用可能性】
【００３７】
本発明により、任意の枚数のシート用の頑丈な重い厚紙の「譜面台」が、アコーディオン折りされた厚紙のスタックから取り出され、ミシン目によって分離されることがわかる。ミシン目は、例えばピアノの譜面デスクや、オーケストラや演奏家が一般的に使用するタイプのスタンドアロンの譜面台を見るようにするために、頑丈な譜面台が自立するのを可能にするため、重いストックの譜面台のさまざまなセクションをミシン目で部分的に折り畳むこともできるように機能する。
【００３８】
また、ミシン目は、例えば、使用しないときに、ピアノベンチの楽譜保管エリアに、簡単に保管できるように、譜面台を完全に折り畳むことを可能にする。
【００３９】
取り付けカプラー３として、取り付けテープまたは、他の可能な取り付けストリップまたは接着剤「ドット」を適切に選択することにより、アコーディオン折りされた譜面台に取り付けられた楽譜を取り外して、他の楽譜に置き換えるか、または別のセクションを新しい楽譜を表示するためにスタックから取り外すことができる。
【００４０】
非アコーディオンの実施形態は、らせん状または同様のタイプのノート内に含まれるシートを用いて作成され得る。シートの外側の実施形態は、楽譜ミーティングが任意の数のシートに取り付けられ、およびそこから取り外される取り付けテープまたは、他の可能な取り付けストリップまたは「ドット」を有し得る。
【００４１】
上記の利点および特徴は、代表的な実施形態のみのものであり、網羅的および／または排他的ではない。それらは、本発明の理解を助けるためにのみ提示される。それらは本発明の考えられる全ての実施形態を表すものではなく、結果として生じる特許の請求項によって定義される本発明に対する制限とみなされるべきではなく、クレームの同等物に対する制限とみなされるべきではないことを理解されたい。例えば、これらの利点のいくつかは、それらが単一の実施形態において同時に存在することができないという点で、相互に矛盾し得る。同様に、いくつかの利点は、本発明の一態様に適用可能であり、他には適用不可能である。さらに、特許請求される発明の特定の態様は、本明細書では説明されていない。しかしながら、空間および繰り返しの削減目的以外で、本明細書で説明されていないものに対し、本明細書で説明されるものに関して推論を引き出してはならない。さらに、用語は主題を参照して理解されるべきである。例えば、重い厚紙のシートに言及するときの「頑丈な」は、通常、楽譜が印刷される普通の手書き用紙または紙の薄っぺらさに対するものと理解することができる。
【００４２】
前述の本発明の説明により、当業者は、現在その最良の形態であると考えられているものを作成および使用することができる。一方、当業者は、本明細書の特定の実施形態、方法、および例の変形、組み合わせ、および同等物の存在を理解および認識するであろう。したがって、本発明は、上記の実施形態、方法、および例によって限定されるべきではなく、請求される本発明の範囲および精神内の全ての実施形態および方法によって限定されるべきである。
【図１】
2021518286.tif 000003
【図２】
2021518286.tif 000004
【図３】
2021518286.tif 000005
【図４】
2021518286.tif 000006
【図５】
2021518286.tif 000007
【図６】
2021518286.tif 000008
【図７】
2021518286.tif 000009
【図８】
2021518286.tif 000010
【国際調査報告】
2021518286.tif 000011
2021518286.tif 000012